(57)【要約】【課題】  上端が開放された側面視略長円錐台形の筒状道路標識の上端開口部に着脱可能に取り付けられた電池駆動発光体を汚れや損傷から保護する手段を提供する。【解決手段】  上端が開放された側面視略長円錐台形の筒状道路標識の上端開口部に係合する蓋部材であって、頂壁を有し筒状道路標識の上端部に外嵌合する外筒と、外筒の頂壁から外筒内を垂下すると共に電池駆動発光体の突起を係止する切欠きを有する外筒と一体形成された内筒とを備える。【選択図】  図１
2007085076.tif 000002
【特許請求の範囲】
【請求項１】
上端が開放された側面視略長円錐台形の筒状道路標識の上端開口部に係合する蓋部材であって、頂壁を有し筒状道路標識の上端部に外嵌合する外筒と、外筒の頂壁から外筒内を垂下すると共に電池駆動発光体の突起を係止する切欠きを有する外筒と一体形成された内筒とを備えることを特徴とする筒状道路標識の蓋部材。
【請求項２】
外筒の内周面に、筒状道路標識の上端開口部に弾性係合する突起が形成されていることを特徴とする請求項１に記載の筒状道路標識の蓋部材。
【発明の詳細な説明】
【技術分野】
【０００１】
本発明は、筒状道路標識の蓋部材に関するものである。
【背景技術】
【０００２】
上端が開放された側面視略長円錐台形の筒状道路標識であって、上端部周壁が内側へ折り返されて弾性係合部が形成され、当該弾性係合部に電池駆動発光体の一種であるフラッシュ合図灯を下向きに圧入するように構成された筒状道路標識が特許文献１に開示されている。
【特許文献１】実用新案登録第３０７５２３１号公報
【発明の開示】
【発明が解決しようとする課題】
【０００３】
特許文献１の筒状道路標識には、フラッシュ合図灯の把手部分が筒状道路標識の上端部から上方へ突出して外部環境に暴露されるので、把手部が汚れ或いは損傷する可能性があるという問題がある。
本発明は上記問題に鑑みてなされたものであり、上端が開放された側面視略長円錐台形の筒状道路標識の上端開口部に着脱可能に取り付けられたフラッシュ合図灯等の電池駆動発光体を汚れや損傷から保護する手段を提供することを目的とする。
【課題を解決するための手段】
【０００４】
上記課題を解決するために、本発明においては、上端が開放された側面視略長円錐台形の筒状道路標識の上端開口部に係合する蓋部材であって、頂壁を有し筒状道路標識の上端部に外嵌合する外筒と、外筒の頂壁から外筒内を垂下すると共に電池駆動発光体の突起を係止する切欠きを有する外筒と一体形成された内筒とを備えることを特徴とする筒状道路標識の蓋部材を提供する。
本発明に係る蓋部材の外筒を側面視略長円錐台形の筒状道路標識の上端開口部に外嵌合させ、蓋部材の内筒の切欠きに電池駆動発光体の突起を係止すると、上端開口が蓋部材の頂壁によって閉鎖された筒状道路標識の内部空間に、電池駆動発光体の全体が収容される。従って、電池駆動発光体は外部環境に暴露されず、電池駆動発光体の汚れ、損傷が防止される。
【０００５】
本発明の好ましい態様においては、外筒の内周面に、筒状道路標識の上端開口部に弾性係合する突起が形成されている。
外筒内周面の突起を筒状道路標識の上端開口部に弾性係合させることにより、蓋部材を筒状道路標識の上端開口部に強固に連結固定することができる。
【発明の効果】
【０００６】
本発明により、上端が開放された側面視略長円錐台形の筒状道路標識の上端開口部に着脱可能に取り付けられた電池駆動発光体を汚れや損傷から保護する手段が提供される。
【発明を実施するための最良の形態】
【０００７】
本発明の実施例に係る筒状道路標識の蓋部材を説明する。
図１、２に示すように、筒状道路標識の蓋部材１は、筒部２ａと頂壁２ｂとを有し、頂壁２ｂによって上端が閉鎖された外筒２を備えている。筒部２ａの内周面に複数の円弧状の突起部２ｃが形成されている。
蓋部材１は、外筒２の頂壁２ａから外筒２内を垂下する内筒３を備えている。内筒３の周側壁に、内筒３の開放された下端から上方へ延びる直線スリット状の案内切欠き３ａが形成されている。内筒３の周側壁に、案内切欠き３ａの上端部から周方向へ延びる直線スリット状の係止切欠き３ｂが形成されている。
【０００８】
蓋部材１の作動を説明する。
図３に示すように、開放された上端に電球保持用のソケットＡが固定された側面視略長円錐台形の筒状道路標識Ｂから、ソケットＡを取り外す。
図３、４に示すように、筒状道路標識Ｂの上端開口部に、蓋部材１の外筒２の筒部２ａを外嵌合させ、円弧状の突起部２ｃを上端開口周囲のフランジ部Ｂ’に弾性係合させて、蓋部材１を筒状道路標識Ｂの上端開口部に連結固定し、前記上端開口部を閉鎖する。
図３に示すように、下向きに差し向けたフラッシュ合図灯Ｃを筒状道路標識Ｂの開放された下端から筒状道路標識Ｂ内へ差込み、図３、５に示すように、フラッシュ合図灯の把手部Ｃ’に形成された突起Ｃ”を蓋部材１の内筒３に形成された案内切欠き３ａに挿入しつつ、把手部Ｃ’を内筒３に挿入する。フラッシュ合図灯は、ＬＥＤを発光体とする棒状の電池駆動発光体であり、道路工事現場等において通行者の誘導等に利用されている。
突起Ｃ”を案内切欠き３ａの上端部まで進入させた後、フラッシュ合図灯Ｃを長手方向軸線回りに回転させて、突起Ｃ”を係止切欠き３ｂの終端まで進入させる。これにより、フラッシュ合図灯Ｃは蓋部材１に着脱可能に係止され、ひいては筒状道路標識Ｂに着脱可能に係止される。
フラッシュ合図灯Ｃの点灯により、筒状道路標識Ｂが点灯される。
【０００９】
蓋部材１を使用すれば、上端開口部が外筒２の頂壁２ｂによって閉鎖された筒状道路標識Ｂの内部空間に、フラッシュ合図灯Ｃの全体が収容される。従って、フラッシュ合図灯Ｃは外部環境に暴露されず、フラッシュ合図灯Ｃの汚れ、損傷が防止される。
外筒内周面の突起部２ｃを筒状道路標識Ｂの上端開口周囲のフランジ部Ｂ’に弾性係合させることにより、蓋部材１を筒状道路標識Ｂの上端開口部に強固に連結固定することができ、ひいてはフラッシュ合図灯Ｃを筒状道路標識Ｂに強固に係止することができる。
蓋部材１に係止される電池駆動発光体はフラッシュ合図灯Ｃに限定されない。特許文献１の筒状道路標識にしばしば装着される偏平電球状の発光体を有する電池駆動発光体等他の形状の電池駆動発光体を蓋部材１に係止させても良い。道路標識関連で使用される電池駆動発光体の電池収容部には一般に突起が形成されているので、当該突起を蓋部材１の切欠き３ａ、３ｂに係合させて、前記電池駆動発光体を蓋部材１に係止することができる。
【産業上の利用可能性】
【００１０】
本発明に係る蓋部材は、上端が開放された側面視略長円錐台形の筒状道路標識に広く利用可能である。
【図面の簡単な説明】
【００１１】
【図１】本発明の実施例に係る筒状道路標識の蓋部材の外観斜視図である。
【図２】本発明の実施例に係る筒状道路標識の蓋部材の構造図である。（ａ）は縦断面図であり、（ｂ）は（ａ）のｂ−ｂ矢視図である。
【図３】本発明の実施例に係る筒状道路標識の蓋部材の作動を示す蓋部材と筒状道路標識とフラッシュ合図灯の外観斜視図である。
【図４】本発明の実施例に係る筒状道路標識の蓋部材の作動を示す蓋部材と筒状道路標識の縦断面図である。
【図５】本発明の実施例に係る筒状道路標識の蓋部材の作動を示す蓋部材とフラッシュ合図灯の外観斜視図である。
【符号の説明】
【００１２】
１  蓋部材
２  外筒
２ａ  筒部
２ｂ  頂壁
２ｃ  突起部
３  内筒
３ａ  案内切欠き
３ｂ  係止切欠き
Ａ  ソケット
Ｂ  筒状道路標識
Ｂ’  フランジ部
Ｃ  フラッシュ合図灯
Ｃ’  把手部
Ｃ”  突起
【図１】
2007085076.tif 000003
【図２】
2007085076.tif 000004
【図３】
2007085076.tif 000005
【図４】
2007085076.tif 000006
【図５】
2007085076.tif 000007